(57)【要約】【課題】長さ調整できるコードを伝わっての回路収納ユニット内への水液の侵入を確実に阻止することができるコード用ブッシュおよびこれを用いたコード付きの回路収納ユニットの提供。【解決手段】適宜の電気的な回路を含む必要部品をケーシング１２内に収納してなる回路収納ユニット１１と、ケーシング１２に設けた通孔１３と連通するガイド孔２３を有してケーシング１２に付設されるコード用ブッシュ２２を介して進退自在に引き出されるコード１５とを含み、該コード用ブッシュ２２は、その先端部２４近傍に少なくとも位置しているガイド孔２３の内側面２６に挿通されるコード１５の対面部位と接触する長さの短繊維を静電植毛してなる撥水性のある内フロック層３３を設け、コード１５を伝わる水液がガイド孔２３内に入り込むのを阻止することで、ケーシング１２内の必要部品の腐食を防止する。【選択図】図１
2006157765.tif 000002
【特許請求の範囲】
【請求項１】
適宜の電気的な回路を含む必要部品を収納するケーシングが備えるコード出入用の通孔と連通するガイド孔を有して、前記ケーシング側への付設を自在に形成されるコード用ブッシュであって、
該コード用ブッシュの先端部近傍に少なくとも位置している前記ガイド孔の内側面には、挿通されるコードの対面部位と接触する長さの短繊維を静電植毛してなる内フロック層を設けたことを特徴とするコード用ブッシュ。
【請求項２】
前記内フロック層は、少なくともコード用ブッシュの前記先端部側に短繊維を静電植毛して形成される外フロック層と連続させた請求項１に記載のコード用ブッシュ。
【請求項３】
少なくとも前記内フロック層には、撥水処理を施した請求項１または２に記載のコード用ブッシュ。
【請求項４】
適宜の電気的な回路を含む必要部品をケーシング内に収納してなる回路収納ユニットと、前記ケーシングに設けた通孔と連通するガイド孔を有して前記ケーシングに付設されるコード用ブッシュを介して進退自在に引き出されるコードとを含み、
該コード用ブッシュは、請求項１ないし３のいずれかに記載のコード用ブッシュであることを特徴とするコード付きの回路収納ユニット。
【請求項５】
前記コードは、コンデンサマイクロホンユニットから引き出された専用マイクコードであって、前記回路収納ユニットは、パワーモジュールとトランスミッタとのいずれかである請求項４に記載のコード付きの回路収納ユニット。
【発明の詳細な説明】
【技術分野】
【０００１】
本発明は、タイピンマイクロホンやヘッドセットマイクロホンなどに用いられる微小なマイクロホンユニット側から引き出されて他所に配置されている回路収納ユニットへと接続される専用マイクコードを含む各種コードを保護するコード用ブッシュおよびこれを用いたコード付きの回路収納ユニットに関する技術である。
【背景技術】
【０００２】
通常、電気的な回路や必要部品が収納されている回路収納ユニットからは、電源コードや信号コードを含む各種のコードが引き出されており、その引出し部位は、前記ユニット側に付設されているコード用ブッシュを介して保護されている（例えば特許文献１の図８のｂ参照）。
【特許文献１】実用新案登録第３０２７４２０号公報
【０００３】
一方、タイピンマイクロホンやヘッドセットマイクロホンは、マイクロホンユニット側を口元に位置するように臨ませて両手が自由に使える状態とすることができるため、例えば、現場中継のアナウンサーやエアロビクスのインストラクターなどのようにハンズフリーの状態で音声を送る必要がある場合に頻用されている。
【０００４】
この場合、タイピンマイクロホンやヘッドセットマイクロホンは、マイクロホユニット側を微小化する必要があることから、パワーモジュールやトランスミッタを含む回路収納ユニット側と一体化することはできず、別体となって腰等の他所に配置される回路収納ユニット側とマイクロホンユニット側とを専用マイクコードを介して電気的に接続する必要があった。
【０００５】
図２は、従来からあるこの種のコード付きの回路収納ユニットを専用マイクコードとの関係を例にして示す説明図である。この場合、パワーモジュールやワイヤレスマイクのトランスミッタを含む回路収納ユニット１は、ケーシング２内に図示しない電気的な回路や電池を含む必要部品を収納し、腰ベルトなどへの着脱を自在にして形成されている。
【０００６】
そして、ケーシング２の所定位置には、専用マイクコード６を進退自在に出し入れする通孔３が形成されており、該通孔３側には、専用マイクコード６の対応部位を挿通させてその周面を覆う適宜長さのガイド孔５を備えてこれを保護するコード用ブッシュ４が付設されている。
【０００７】
この場合、専用マイクコード６は、使用者の体格などに対応させるべく回路収納ユニット１と図示しないマイクロホンユニットとの間に位置する部位の長さを調整することができるように、回路収納ユニット１側からの引き出しと送り込みとが自在となって配設されている。
【発明の開示】
【発明が解決しようとする課題】
【０００８】
ところで、特許文献１に示すコード用ブッシュについては、コードの長さを調整する必要がないので、コードと一体化させることで回路収納ユニット側に対する液密性が付与されており、これにより水液がコードを伝わって回路収納ユニット内へと侵入することを阻止することができる。
【０００９】
しかし、図２に示すコード付きの回路収納ユニットによる場合には、例えば運動量の多いエアロビクスのインストラクターが回路収納ユニット１を腰側に装着して使用する際、汗が専用マイクコード６を伝わってコード用ブッシュ４側に到達し、そのガイド孔５から通孔３を経てケーシング２内に入り込み、内部の電気的な回路や電池などを腐食させて動作不良を招いてしまう不都合があった。
【００１０】
このような不都合を解消するためには、コード用ブッシュと専用マイクコードとをシーラントなどの接着剤を用いて液密状に封止してしまう構造とすることも考えられる。しかし、このような封止構造による場合には、既に述べたように装着使用者が自分の体格に合わせるために専用マイクコードの長さを調整しようとしてもできなくなるという不具合が生じることになる。
【００１１】
本発明は、従来技術の上記課題に鑑み、コードの長さを調整することができる状況のももとで、該コードを伝わっての回路収納ユニット内への水液の侵入を確実に阻止することができるコード用ブッシュおよびこれを用いたコード付きの回路収納ユニットを提供することを目的とする。
【課題を解決するための手段】
【００１２】
本発明は、上記目的を達成すべくなされたものであり、そのうちの第１の発明は、適宜の電気的な回路を含む必要部品を収納するケーシングが備えるコード出入用の通孔と連通するガイド孔を有して、前記ケーシング側への付設を自在に形成されるコード用ブッシュであって、該コード用ブッシュの先端部近傍に少なくとも位置している前記ガイド孔の内側面には、挿通されるコードの対面部位と接触する長さの短繊維を静電植毛してなる内フロック層を設けたことを最も主要な特徴とする。
【００１３】
この場合、前記内フロック層は、少なくともコード用ブッシュの前記先端部側に短繊維を静電植毛して形成される外フロック層と連続させることもできる。また、少なくとも前記内フロック層には、撥水処理を施しておくのが好ましい。
【００１４】
一方、第２の発明は、適宜の電気的な回路を含む必要部品をケーシング内に収納してなる回路収納ユニットと、前記ケーシングに設けた通孔と連通するガイド孔を有して前記ケーシングに付設されるコード用ブッシュを介して進退自在に引き出されるコードとを含み、該コード用ブッシュは、請求項１ないし３のいずれかに記載のコード用ブッシュであることを最も主要な特徴とする。この場合、前記コードは、コンデンサマイクロホンユニットから引き出された専用マイクコードとし、前記回路収納ユニットは、パワーモジュールとトランスミッタとのいずれかとするのが好ましい。
【発明の効果】
【００１５】
本発明のうち、請求項１に係る発明によれば、コード用ブッシュの先端部近傍に少なくとも位置しているガイド孔の内側面に内フロック層が形成されているので、ガイド孔を挿通させた際のコードの対面部位へと内フロック層を接触させることができることになり、これによりコードを伝わって水液が侵入するのを阻止することができる構造を付与することができる。
【００１６】
また、請求項２に係る発明によれば、内フロック層は、少なくともコード用ブッシュの先端部側に形成される外フロック層と連続しているので、ガイド孔にコードを挿通させた際に外フロック層と内フロック層とでその入り口部位を含めてコードに接触させることができることになり、これによりコードを伝わって水液が侵入するのを確実に阻止することができる構造を付与することができる。
【００１７】
さらに、請求項３に係る発明によれば、少なくとも内フロック層には撥水処理が施されているので、ガイド孔を挿通させた際のコードの対面部位へと撥水性に富むフロック層を接触させることができることになり、コードを伝わって水液が侵入するのをより確実に阻止することができる構造を付与することができる。
【００１８】
一方、請求項４に係る発明によれば、回路収納ユニットを構成しているケーシングに付設されたコード用ブッシュは、請求項１ないし３のいずれかに記載のコード用ブッシュであることから、ガイド孔を挿通させた際のコードの対面部位へと少なくとも内フロック層を接触させてコードを伝わって水液が侵入するのを阻止することができるので、ケーシング内に収納されている電気的な回路を含む必要部品を腐食から守って安定的に使用することができる耐久性を付与することができる。
【００１９】
また、請求項５に係る発明によれば、コードは、コンデンサマイクロホンユニットから引き出された専用マイクコードであり、回路収納ユニットは、パワーモジュールとトランスミッタとのいずれかであることから、例えば運動量の多いエアロビクスのインストラクターがこれを装着して使用しても、専用マイクコードを伝わって流下する汗がケーシング内に侵入するのを確実に阻止することができるので、内部の電気的な回路などを腐食させることなく長期にわたり使用することができる。
【発明を実施するための最良の形態】
【００２０】
図１は、第１の発明に係るコード用ブッシュを付設した第２の発明に係るコード付きの回路収納ユニットの概略構成例を示す要部拡大説明図である。この例においては、タイピンマイクロホンやヘッドセットマイクロホンを構成している図示しないマイクロホンユニットが、専用マイクコード１６をコード１５として介在させることで回路収納ユニット１１と電気的に接続されている。また、専用マイクコード１６は、装着使用する者の体格などに対応させるべく回路収納ユニット１１とマイクロホンユニットとの間に位置する部位の長さを適宜調整することができるように、回路収納ユニット１１側からの引き出しと送り込みとを自在にして配設されている。
【００２１】
この場合、回路収納ユニット１１は、図示しない適宜の電気的な回路や電池を含む必要部品をケーシング１２内に収容してなる図示しないマイクロホンユニットのパワーモジュールやワイヤレスマイクのトランスミッタとして構成されており、腰ベルトなどへの着脱が自在な適宜の構造が付与されて形成されている。
【００２２】
そして、ケーシング１２の所定位置には、専用マイクコード１６を進退自在に出し入れする通孔１３が形成されており、該通孔１３側には、専用マイクコード１６の対応部位を挿通させてその周面を覆う適宜長さのガイド孔２３を備えてこれを保護するコード用ブッシュ２２が嵌着などの適宜の取付け構造のもとで付設されている。
【００２３】
一方、コード１５としての専用マイクコード１６が挿通されるコード用ブッシュ２２は、ゴム等の軟質な適宜形状の弾性部材を用い、専用マイクコード１６が遊挿されるガイド孔２３をその長さ方向に貫通させることで形成されている。
【００２４】
しかも、コード用ブッシュ２２には、ガイド孔２３の先端部２４側に位置している開口２３ａ側から、その付設時にケーシング１２の通孔１３へと至る部位の内側面２６に多数本のパイルなどからなる短繊維３５が密に直立するように静電植毛されてなる内フロック層３３と、同じく開口２３ａ側から、その付設時にケーシング１２の通孔１３近傍へと至る部位の外側面２７に短繊維３５が密に直立するように静電植毛されてなる外フロック層３４とが、相互に連続した状態となって形成されている。
【００２５】
この場合、短繊維３５は、遊通される専用マイクコード１６の対面部位に対し確実に接触させることができる長さが付与されているものが用いられ、これによりガイド孔２３の内に位置する専用マイクコード１６は、その外周面１７が内フロック層３３に摺接しながら進退することになる。
【００２６】
しかも、短繊維３５には、静電植毛した後のコード用ブッシュ２２の全体を適宜成分の防水液中に浸漬したり、内フロック層３３と外フロック層３４とに適宜の防水スプレー液を塗布するなどして撥水処理が施されており、これにより好ましい撥水性が付与されることになる。
【００２７】
次に、本発明に係るコード付きの回路収納ユニットの作用・効果を図１に基づいて説明すれば、ガイド孔２３内に専用マイクコード１６を遊挿させたコード用ブッシュ２２は、回路収納ユニット１１を構成しているケーシング１２の通孔１３側へと嵌着するなどして付設される。なお、このとき、専用マイクコード１６は、その一端部がマイクロホンユニット側の必要部位と、他端部がケーシング１２の通孔１３からの進退が自在となってケーシング内の必要部位とそれぞれ接続されることになる。
【００２８】
しかも、コード用ブッシュ２２は、ガイド孔２３を区画形成している内側面２６に形成された内フロック層３３と、外側面２７に形成されえた外フロック層３４とを備えているので、該ガイド孔２３内に遊挿されている部位の専用マイクコード１６が進退する際に内フロック層３３を構成して密に直立している多数本の端繊維３５が進行方向へと倒伏された状態のもとで外周面１７に摺接することになる。また、外フロック層３４は、
【００２９】
このため、専用マイクコード１６を伝わってガイド孔２３の開口２３ａ側へと到達した汗などの水液は、撥水性に富む内フロック層３３により弾かれてガイド孔２３内へと入り込むことが阻止され、かつ、外フロック層３４を介してコード用ブッシュ２２への水液の付着・滞留を阻止する。したがって、専用マイクコード１６を伝わってガイド孔２３の開口２３ａ側へと到達した水液は、通孔１３を介してケーシング１２内に侵入することもできないことになり、ケーシング１２内の必要部品の侵入水液による腐食から効果的に保護することができる。
【００３０】
以上は、本発明を図示例に基づいて説明したものであり、その具体的な実施形態はこれに限定されるものではない。例えば、ケーシング１２およびコード用ブッシュ２２の形状は、コード１５側の形状等に対応合致する適宜の形状およびサイズとすることができる。また、コード１５自体も、ケーシング１２側からの長さを調整することができるものであれば、専用マイクコード１６ではなく、例えば通勤時に使用される小型ラジオから引き出されているイヤホンコードなどであってもよい。
【００３１】
さらに、図示例においては、連続形成された内フロック層３３と外フロック層３４とを備えているものが示されているが、必要によりコード用ブッシュ２２の先端部２４近傍に位置しているガイド孔２３の内側面２６にのみ形成したり、先端部２４部位にのみ形成した外フロック層３４と内フロック層３３とを連続させたりするものであってもよい。さらに、所望により、特に撥水処理を施すことなく内フロック層や外フロック層を形成することもできる。この場合、短繊維として撥水性に富む素材を用いるのが望ましい。
【図面の簡単な説明】
【００３２】
【図１】第１の発明に係るコード用ブッシュを付設した第２の発明に係るコード付きの回路収納ユニットの概略構成例を示す要部拡大説明図。
【図２】従来からあるコード付きの回路収納ユニットを専用マイクコードとの関係を例にして示す要部拡大説明図。
【符号の説明】
【００３３】
１１  回路収納ユニット
１２  ケーシング
１３  通孔
１５  コード
１６  専用マイクコード
１７  外周面
２２  コード用ブッシュ
２３  ガイド孔
２３ａ  開口
２４  先端部
２６  内側面
２７  外側面
３３  内フロック層
３４  外フロック層
３５  短繊維
【図１】
2006157765.tif 000003
【図２】
2006157765.tif 000004